(57)【要約】      （修正有）【課題】熱源側熱交換器と圧縮機を連絡する熱源側連絡配管および利用側熱交換器と圧縮機を連絡する利用側連絡配管を備えつつ、メンテナンス性を高めること【解決手段】屋外空気調和装置であって、熱源側熱交換器および利用側熱交換器３を内部に収容し、平面視における輪郭形状が複数の角部２５ａ〜２５ｄを有する多角形であるケーシングを備え、熱源側熱交換器のうちの熱源側ガス側連絡配管５１が接続される部分と、利用側熱交換器３のうちの利用側ガス側連絡配管５３が接続される部分３３〜３７と、の両方が、平面視において、ケーシングの輪郭形状である多角形の中心よりも角部２５ｄ（ケーシングの平面視における輪郭形状が有する複数の角部２５ａ〜２５ｄのうちの１つ）に近い位置に配置されている。【選択図】図６
2020003176.tif 000002
【特許請求の範囲】
【請求項１】
圧縮機（１）と、熱源側熱交換器（６）と、前記熱源側熱交換器を通過する空気流れを生じさせる第１ファン（７）と、利用側熱交換器（３）と、前記利用側熱交換器を通過する空気流れを生じさせる第２ファン（４）と、前記熱源側熱交換器と前記圧縮機とを連絡する熱源側連絡配管（５１）と、前記利用側熱交換器と前記圧縮機とを連絡する利用側連絡配管（５３）と、を備えた屋外空気調和装置（１００）であって、
少なくとも前記熱源側熱交換器および前記利用側熱交換器を内部に収容し、平面視における輪郭形状が複数の角部（２５ａ〜２５ｄ）を有する多角形であるケーシング（１０）を備え、
前記ケーシングの平面視における前記輪郭形状が有する複数の前記角部のうちの１つが第１角部（２５ｄ）であり、
前記熱源側熱交換器のうちの前記熱源側連絡配管が接続される熱源側配管接続部（６３〜６７）と、前記利用側熱交換器のうちの前記利用側連絡配管が接続される利用側配管接続部（３３〜３７）と、の両方が、平面視において、前記ケーシングの前記輪郭形状である前記多角形の中心よりも前記第１角部に近い位置に配置されている、
屋外空気調和装置。
【請求項２】
前記熱源側配管接続部と前記利用側配管接続部の両方が、平面視において、前記第１角部を構成する２つの辺のそれぞれの中心同士を結ぶ線（１５ｘ、１７ｘ）よりも、前記第１角部側に配置されている、
請求項１に記載の屋外空気調和装置。
【請求項３】
前記熱源側配管接続部は、前記熱源側熱交換器に設けられた熱源側管板（６３）を含み、
前記利用側配管接続部は、前記利用側熱交換器に設けられた利用側管板（３３）を含む、
請求項１または２に記載の屋外空気調和装置。
【請求項４】
前記熱源側連絡配管と前記利用側連絡配管は、前記第１角部に沿って延びている、
請求項１から３のいずれか１項に記載の屋外空気調和装置。
【請求項５】
前記ケーシングは、平面視における輪郭形状が四角形である、
請求項１から４のいずれか１項に記載の屋外空気調和装置。
【請求項６】
前記熱源側熱交換器および前記利用側熱交換器は、平面視において、前記ケーシングの多角形の輪郭形状を構成する各辺のうちの互いに隣り合う２つ以上に対して沿うように延びている部分を有している、
請求項１から５のいずれか１項に記載の屋外空気調和装置。
【請求項７】
前記熱源側熱交換器は、熱源側折り曲げ部を有する平面視Ｌ字状の熱源側熱交換部（６１、６２）を２つ有しており、
複数の前記熱源側熱交換部は、それぞれの前記熱源側折り曲げ部の内側が平面視において互いに向かい合って配置されており、
前記利用側熱交換器は、利用側折り曲げ部を有する平面視Ｌ字状の利用側熱交換部（３１、３２）を２つ有しており、
複数の前記利用側熱交換部は、それぞれの前記利用側折り曲げ部の内側が平面視において互いに向かい合って配置されており、
複数の前記熱源側熱交換部がそれぞれ有する前記熱源側配管接続部（６４、６５、６６、６７、６３）と複数の前記利用側熱交換部がそれぞれ有する前記利用側配管接続部（３４、３５、３６、３７、３３）の両方が、平面視において、前記ケーシングの前記輪郭形状である前記多角形の中心よりも前記第１角部に近い位置に配置されている、
請求項１から６のいずれか１項に記載の屋外空気調和装置。
【請求項８】
前記熱源側熱交換器と前記利用側熱交換器とは、互いに離れて配置されている、
請求項１から７のいずれか１項に記載の屋外空気調和装置。
【請求項９】
前記第２ファンは、前記ケーシングの内部であって、前記熱源側熱交換器と前記利用側熱交換器との間に収容されている、
請求項８に記載の屋外空気調和装置。
【発明の詳細な説明】
【技術分野】
【０００１】
本開示は、屋外空気調和装置に関する。
【背景技術】
【０００２】
従来より、例えば、特許文献１（特開２００２−２２８１８６号公報）に記載のように、部屋のコーナー部に据付可能な一体形空気調和機が提案されている。
【発明の概要】
【発明が解決しようとする課題】
【０００３】
上記特許文献１における空気調和機本体の外形は、部屋のコーナー部に据付可能な外径を有しているが、その内部構造についてはなんら検討されていない。
【０００４】
本開示の課題は、熱源側熱交換器と圧縮機を連絡する熱源側連絡配管および利用側熱交換器と圧縮機を連絡する利用側連絡配管を備えつつ、メンテナンス性を高めることが可能な屋外空気調和装置を提供することにある。
【課題を解決するための手段】
【０００５】
第１観点に係る屋外空気調和装置は、圧縮機と、熱源側熱交換器と、第１ファンと、利用側熱交換器と、第２ファンと、熱源側連絡配管と、利用側連絡配管と、ケーシングと、を備えている。第１ファンは、熱源側熱交換器を通過する空気流れを生じさせる。第２ファンは、利用側熱交換器を通過する空気流れを生じさせる。熱源側連絡配管は、熱源側熱交換器と圧縮機とを連絡する。利用側連絡配管は、利用側熱交換器と圧縮機とを連絡する。ケーシングは、少なくとも熱源側熱交換器および利用側熱交換器を内部に収容する。ケーシングは、平面視における輪郭形状が複数の角部を有する多角形である。ケーシングの平面視における輪郭形状が有する複数の角部のうちの１つが第１角部である。熱源側熱交換器のうちの熱源側連絡配管が接続される熱源側配管接続部と、利用側熱交換器のうちの利用側連絡配管が接続される利用側配管接続部と、の両方が、平面視において、ケーシングの輪郭形状である多角形の中心よりも第１角部に近い位置に配置されている。
【０００６】
ここで、ケーシングは、少なくとも熱源側熱交換器と利用側熱交換器と圧縮機を内部に収容し、支柱と、底板と、天板と、を有していることが好ましい。
【０００７】
この屋外空気調和装置では、熱源側熱交換器のうちの熱源側連絡配管が接続される熱源側配管接続部と、利用側熱交換器のうちの利用側連絡配管が接続される利用側配管接続部と、の両方が、同じ第１角部に近い位置に配置されているため、メンテナンス性を高めることが可能になっている。
【０００８】
第２観点に係る屋外空気調和装置は、第１観点に係る屋外空気調和装置であって、熱源側配管接続部と利用側配管接続部の両方が、平面視において、第１角部を構成する２つの辺のそれぞれの中心同士を結ぶ線よりも、第１角部側に配置されている。
【０００９】
この屋外空気調和装置では、熱源側配管接続部と利用側配管接続部の両方を、平面視における第１角部の近くにまとめて位置させることが可能になる。
【００１０】
第３観点に係る屋外空気調和装置は、第１観点または第２観点に係る屋外空気調和装置であって、熱源側配管接続部は、熱源側熱交換器に設けられた熱源側管板を含む。利用側配管接続部は、利用側熱交換器に設けられた利用側管板を含む。
【００１１】
この屋外空気調和装置では、平面視においてケーシングの輪郭形状である多角形の中心よりも第１角部に近い位置に熱源側管板と利用側管板を配置させることで、平面視における熱源側管板と利用側管板の位置を同じ第１角部近くにまとめることが可能になっている。
【００１２】
第４観点に係る屋外空気調和装置は、第１観点から第３観点のいずれかに係る屋外空気調和装置であって、熱源側連絡配管と利用側連絡配管は、第１角部に沿って延びている。
【００１３】
ここで、「熱源側連絡配管と利用側連絡配管は、第１角部に沿って延びている」には、熱源側連絡配管の全体と利用側連絡配管の全体が第１角部に沿って延びている場合だけでなく、少なくとも熱源側連絡配管の一部や利用側連絡配管の一部が第１角部に沿って延びている場合を含む。
【００１４】
この屋外空気調和装置では、熱源側連絡配管と利用側連絡配管のメンテナンス性を高めることができる。
【００１５】
第５観点に係る屋外空気調和装置は、第１観点から第４観点のいずれかに係る屋外空気調和装置であって、ケーシングは、平面視における輪郭形状が四角形である。なお、この四角形としては、平面視における輪郭形状の主な辺から構成される多角形が四角形であってもよいし、各頂点部分が面取りされている四角形であってもよい。
【００１６】
第６観点に係る屋外空気調和装置は、第１観点から第５観点のいずれかに係る屋外空気調和装置であって、熱源側熱交換器および利用側熱交換器は、平面視において、ケーシングの多角形の輪郭形状を構成する各辺のうちの互いに隣り合う２つ以上に対して沿うように延びている部分を有している。
【００１７】
この屋外空気調和装置では、熱源側熱交換器および利用側熱交換器の有効長を長く確保しやすい。なお、ここでの有効長とは、平面視における熱交換器の形状に沿って一端から他端に至るまでの長さをいう。
【００１８】
第７観点に係る屋外空気調和装置は、第１観点から第６観点のいずれかに係る屋外空気調和装置であって、熱源側熱交換器は、熱源側折り曲げ部を有する平面視Ｌ字状の熱源側熱交換部を２つ有している。複数の熱源側熱交換部は、それぞれの熱源側折り曲げ部の内側が平面視において互いに向かい合って配置されている。利用側熱交換器は、利用側折り曲げ部を有する平面視Ｌ字状の利用側熱交換部を２つ有している。複数の利用側熱交換部は、それぞれの利用側折り曲げ部の内側が平面視において互いに向かい合って配置されている。複数の熱源側熱交換部がそれぞれ有する熱源側配管接続部と複数の利用側熱交換部がそれぞれ有する利用側配管接続部の両方が、平面視において、ケーシングの輪郭形状である多角形の中心よりも第１角部に近い位置に配置されている。
【００１９】
この屋外空気調和装置では、熱源側熱交換器や利用側熱交換器が複数の熱交換部を有している場合であっても、第１角部のスペースを利用して、各熱源側配管接続部と各利用側配管接続部を配置させることができる。
【００２０】
第８観点に係る屋外空気調和装置は、第１観点から第７観点のいずれかに係る屋外空気調和装置であって、熱源側熱交換器と利用側熱交換器とは、互いに離れて配置されている。
【００２１】
この屋外空気調和装置では、熱源側熱交換器と利用側熱交換器との間の熱の影響を抑制することができる。
【００２２】
第９観点に係る屋外空気調和装置は、第８観点に係る屋外空気調和装置であって、第２ファンは、ケーシングの内部であって、熱源側熱交換器と利用側熱交換器との間に収容されている。
【図面の簡単な説明】
【００２３】
【図１】屋外空気調和装置１００の冷媒回路を示す図。
【図２】屋外空気調和装置１００の外観斜視図。
【図３】屋外空気調和装置１００の内部の構成を示す斜視図。
【図４】屋外空気調和装置１００の内部の構成を示す側面視概略配置構成図。
【図５】底板１２上の各要素の配置関係を示す概略平面図。
【図６】第１仕切板１７上の各要素の配置関係を示す概略平面図。
【図７】第２仕切板１６上の各要素の配置関係を示す概略平面図。
【図８】第３仕切板１５上の各要素の配置関係を示す概略平面図。
【図９】第４仕切板１４上の各要素の配置関係を示す概略平面図。
【発明を実施するための形態】
【００２４】
（１）屋外空気調和装置１００の冷媒回路の構成
本実施形態の屋外空気調和装置１００の冷媒回路を図１に、外観の斜視図を図２に示す。本実施形態の屋外空気調和装置１００は、屋外に配置され、ヒートポンプを用いて、屋外の暖房、冷房、除湿などを行う空気調和装置である。ここで、屋外とは、外気にさらされる空間を意味する。たとえば、公園、野外競技場など、屋根の無いところの場合もあれば、屋根がある戸外空間、東屋や、ベランダのような場所であってもよい。
【００２５】
屋外空気調和装置１００は、冷房運転及び／又は除湿運転を行う冷房専用機であってもよい。屋外空気調和装置１００は、暖房運転のみ又は暖房運転と除霜運転を行う暖房専用機であってもよい。屋外空気調和装置１００は、冷房運転と除湿運転の少なくともいずれかと、暖房運転のみ又は暖房運転とデフロスト運転の両方と、を行う空気調和装置であってもよい。
【００２６】
屋外空気調和装置１００は、図１に示す冷媒回路９の全体を一つのケーシング１０の内部に収容した空気調和装置である。屋外空気調和装置１００は、図１に示すように、圧縮機１、アキュムレータ８、四路切換弁２、利用側熱交換器３、膨張手段５、熱源側熱交換器６を備えている。これらの機器は、配管で接続されることで冷媒回路９を構成している。
【００２７】
より具体的には、アキュムレータ８は、四路切換弁２が有する第１接続ポートと、圧縮機１の吸入側との間に接続されている。圧縮機１の吐出側は、四路切換弁２が有する第２接続ポートに接続されている。四路切換弁２の第３接続ポートは、熱源側ガス側連絡配管５１を介して熱源側熱交換器６のガス冷媒側と接続されており、四路切換弁２の第４接続ポートは、利用側ガス側連絡配管５３を介して利用側熱交換器３のガス冷媒側と接続されている。膨張手段５は、熱源側液側連絡配管５２を介して熱源側熱交換器６の液冷媒側と接続されており、利用側液側連絡配管５４を介して利用側熱交換器３の液冷媒側と接続されている。なお、例えば、冷房専用機において四路切換弁２を備えない構成としては、熱源側ガス側連絡配管５１が圧縮機１の吐出側と熱源側熱交換器６のガス冷媒側とを連絡し、利用側ガス側連絡配管５３が圧縮機１の吸入側と利用側熱交換器３のガス冷媒側とを連絡してもよい。
【００２８】
なお、当該四路切換弁２を備える冷媒回路９は、暖房運転と除霜運転を行う暖房専用機、又は、冷房運転と除湿運転の少なくともいずれかと、暖房運転のみ又は暖房運転と除霜運転の両方と、を行う空気調和装置において採用される。また、冷房運転及び／又は除湿運転を行う冷房専用機においては、四路切換弁２を省略した冷媒回路を用いることができる。具体的には、圧縮機１の吐出側が熱源側熱交換器６に接続され、圧縮機１の吸入側が（必要に応じてアキュムレータ８を介して）利用側熱交換器３に接続された冷媒回路を用いることができる。
【００２９】
以上の屋外空気調和装置１００では、冷媒回路９に封入されている冷媒が各機器を循環することで、蒸気圧縮式の冷凍サイクルが行われる。ここで、冷房運転、除湿運転およびデフロスト運転の場合は、利用側熱交換器３は冷媒の蒸発器として機能し、熱源側熱交換器６は冷媒の凝縮器として機能する。暖房運転の場合は、利用側熱交換器は冷媒の凝縮器として機能し、熱源側熱交換器は冷媒の蒸発器として機能する。冷房運転、除湿運転及びデフロスト運転と暖房運転との切換は、冷媒回路９における四路切換弁２の切換状態の切り換えにより行われる。
【００３０】
屋外空気調和装置１００において用いる冷媒としては、例えば、Ｒ３２単体、Ｒ３２を含む混合冷媒等が挙げられる。Ｒ３２を含む混合冷媒の例としては、Ｒ４５２Ｂ、Ｒ４１０Ａ、Ｒ４５４Ｂが挙げられる。Ｒ４５２Ｂは、Ｒ３２が６７．０ｗｔ％、Ｒ１２５が７．０ｗｔ％、Ｒ１２３４ｙｆが２６．０％である。Ｒ４１０Ａは、Ｒ３２が５０ｗｔ％、Ｒ１２５が５０ｗｔ％である。Ｒ４５４Ｂは、Ｒ３２が７２．５ｗｔ％、Ｒ１２３４ｙｆが２７．５ｗｔ％である。
【００３１】
（２）屋外空気調和装置１００の各機器の配置
屋外空気調和装置１００の外観の斜視図を図２に、各種化粧板や支柱等の一部を取り除いた、内部構成の斜視図を図３に、側面視概略配置構成図を図４に、それぞれ示す。
【００３２】
本実施形態の屋外空気調和装置１００では、ケーシング１０の中に、冷媒回路９を構成する全ての機器、熱源側ファン７、利用側ファン４が収容されている。
【００３３】
ケーシング１０は、水平断面が略矩形である直方体形状を有しており、長手方向が鉛直方向となるように上下に伸びている。ケーシング１０の上面視は、対称性を有する形状となっている。なお、本実施形態では、ケーシング１０の平面視の形状は、主として、４つの側面２０ａ〜２０ｄと、側面２０ａ〜２０ｄのうち互いに隣り合うもの同士の間の部分で構成される４つの角部２５ａ〜２５ｄと、を有する略正方形となっている。なお、ケーシング１０の平面視の形状の輪郭は、三角形、四角形、五角形、六角形、七角形、八角形等の多角形であってよく、平面視において多角形を構成する各辺の全てが直線的であるものに限られず、曲線部分を有していてもよい。
【００３４】
なお、各角部２５ａ〜２５ｄは、特に限定されないが、例えば、以下のようにして定めることができる。まず、平面視におけるケーシング１０の輪郭形状を構成する各線のなかから曲線部分と内側に窪んだ部分を除外して残る各線の平均長さを求める。さらに、平面視におけるケーシング１０の輪郭形状を構成する各線のなかから曲線部分と内側に窪んだ部分を除外して残る各線のなかから、当該平均長さよりも短い線を除外して残る線を、主要輪郭線として特定する。平面視において、これらの主要輪郭線をそれぞれ延長させることで得られる各交点を定める。そして、平面視において、ケーシングの輪郭形状の中心（重心）と当該交点とを結ぶ線と、ケーシングの輪郭と、が交わった箇所を角部とすることができる。そして、本実施形態においては、各角部２５ａ〜２５ｄは、平面視において、各支柱１１ａ〜１１ｄの外側に露出している部分の中心とすることができる。
【００３５】
ケーシング１０は、４本の支柱１１ａ〜１１ｄ、天板１３、底板１２、第４仕切板１４、第３仕切板１５、第２仕切板１６、第１仕切板１７、４つの上部化粧板２１、４つの中間化粧板２２、４つの下部化粧板２３と、４つの風向調節部材２４等を有している。
【００３６】
ケーシング１０の外形は、概ね、４本の支柱１１ａ〜１１ｄと、天板１３と、底板１２と、４つの上部化粧板２１と、４つの中間化粧板２２と、４つの下部化粧板２３と、４つの風向調節部材２４と、によって構成されており、長手方向が鉛直方向となるように上下に延びた構造となっている。４本の支柱１１ａ〜１１ｄは、上面視において、天板１３や底板１２の四隅に位置しており、ケーシング１０の平面視における４つの角部２５ａ〜２５ｄを構成している。これら４本の支柱１１ａ〜１１ｄは、いずれも長手方向が鉛直方向となる姿勢で設けられている。天板１３は、４本の支柱１１ａ〜１１ｄの上端近傍において固定されており、水平に広がっている板部材である。底板１２は、４本の支柱１１ａ〜１１ｄの下端近傍において固定されており、水平に広がっている板部材である。なお、支柱１１ａ〜１１ｄのうち互いに隣り合うもの同士の間には、４側面共に、上から順に、上部化粧板２１、風向調節部材２４、中間化粧板２２、下部化粧板２３が配置されている。上部化粧板２１と下部化粧板２３とは、側方に向けて突出しており水平方向に並んだ複数の凸部が上下方向に沿って延びた形状を有しており、後述する利用側吸込口４５や熱源側吸込口４７に対向する部分において、空気を周方向に送ることができるように開口した部分を有している。なお、中間化粧板２２は、下部化粧板２３の上において周方向を覆っており、空気を通過させる開口等が形成されていない。風向調節部材２４は、中間化粧板２２よりも上で上部化粧板２１よりも下の部分を通過する空気流れの供給先を調節することが可能であり、当該部分を閉塞することができるように設けられている。
【００３７】
なお、底板１２の下には、屋外空気調和装置１００を移動させて設置場所を変える等のために４つのキャスタ１８が取り付けられている。さらに、底板１２には、地面と平行に広がった主面を有する２つの固定板１９ａ、１９ｂが固定されている。屋外空気調和装置１００は、これらの固定板１９ａ、１９ｂによって転倒が抑制される。なお固定板１９ａ、１９ｂは、螺子によって底板１２に固定されており、取り外すことが可能となっている。
【００３８】
ケーシング１０の内部は、ケーシング１０の内部を上下方向に並ぶ複数の空間に仕切るように、第４仕切板１４、第３仕切板１５、第２仕切板１６および第１仕切板１７が上から順に配置されている。これらの第４仕切板１４、第３仕切板１５、第２仕切板１６、第１仕切板１７は、いずれも４本の支柱１１ａ〜１１ｄの内側に固定されることで、ケーシング１０の構造の補強にも寄与している。なお、ケーシング１０の内部に上下方向に並んだ複数の空間を確保するために、水平方向に広がった上下方向の厚みが薄い板状部材である第４仕切板１４、第３仕切板１５、第２仕切板１６および第１仕切板１７を用いているため、屋外空気調和装置１００の上下方向の大型化を抑制することができている。
【００３９】
ケーシング１０の内部のうち底板１２と第１仕切板１７で上下に囲まれた空間は、図５に示すように、上面視において、圧縮機１、膨張手段５、アキュムレータ８、電装部品２８、ドレンタンク２９が配置されている。ここで、圧縮機１は、容量可変機（インバータ機）であってもよいし、一定速で駆動する容量固定機（ノンインバータ機）であってもよい。膨張手段５は、特に限定されず、弁開度が制御可能な電動膨張弁であってもよいし、感温筒と共に用いられる機械式膨張弁であってもよいし、キャピラリーチューブであってもよい。電装部品２８は、屋外空気調和装置１００が有する各要素の駆動制御を行う制御部として機能するものであり、ＣＰＵ、ＲＯＭ、ＲＡＭ等を有して構成されている。なお、電装部品２８は、圧縮機１、利用側ファンモータ４ａ、熱源側ファンモータ７ａ（膨張手段５が電動膨張弁等の制御可能なものである場合には当該電動膨張弁、四路切換弁２が設けられておる場合には四路切換弁２、風向調節部材２４の姿勢が制御可能な場合には風向調節部材２４）と通信線７１を介して電気的に接続されている。ドレンタンク２９は、蒸発器として機能する利用側熱交換器３において生じた結露水を捕捉し蓄えるものである。なお、ドレンタンク２９は、略直方体形状を有しており、ドレンタンク２９の上下方向の高さが、ドレンタンク２９の平面視における長手方向の長さの半分以上であることが好ましく、当該長手方向の長さ以上であることがより好ましい。ここで、底板１２と第１仕切板１７との間の４つの側面は、いずれも、互いに隣り合う２つの支柱１１ａ−１１ｄの間の部分が、対応する下部化粧板２３のうち空気を通過させない部分によって覆われている。
【００４０】
なお、四路切換弁２からは、熱源側ガス側連絡配管５１および利用側ガス側連絡配管５３が、平面視における角部２５ｄ側に向けて延びだしている。また、膨張手段５からは、熱源側液側連絡配管５２および利用側液側連絡配管５４が、平面視における角部２５ｄ側に向けて延びだしている。そして、後述するように、熱源側ガス側連絡配管５１や熱源側液側連絡配管５２の上下方向に延びている部分とこれらと熱源側熱交換器６との接続箇所である熱源側管板６３等と、利用側ガス側連絡配管５３や利用側液側連絡配管５４の上下方向に延びている部分とこれらと利用側熱交換器３との接続箇所である利用側管板３３等とは、いずれも、ケーシング１０の平面視における中心（重心）よりも、角部２５ｄに近い位置に配置されている。また、熱源側ガス側連絡配管５１や熱源側液側連絡配管５２の上下方向に延びている部分と、利用側ガス側連絡配管５３や利用側液側連絡配管５４の上下方向に延びている部分とは、いずれも、上下方向において角部２５ｄに沿うように延びている。なお、熱源側ガス側連絡配管５１の全体と熱源側液側連絡配管５２の全体ではなく、これらのうち、少なくとも熱源側熱交換器６の熱源側配管接続部である熱源側管板６３と第１熱源側ガス枝管６４と第２熱源側ガス枝管６５と第１熱源側液枝管６６と第２熱源側液枝管６７に接続される部分が角部２５ｄに沿って延びていればよい。また、同様に、利用側ガス側連絡配管５３の全体と利用側液側連絡配管５４の全体ではなく、これらのうち、少なくとも利用側熱交換器３の利用側配管接続部である利用側管板３３と第１利用側ガス枝管３４と第２利用側ガス枝管３５と第１利用側液枝管３６と第２利用側液枝管３７に接続される部分が角部２５ｄに沿って延びていればよい。
【００４１】
ケーシング１０の内部のうち第１仕切板１７と第２仕切板１６で上下に囲まれた空間は、図６に示すように、利用側熱交換器３が配置されている。
なお、第１仕切板１７には、角部２５ｄの近傍において、上下方向に貫通した切り欠き１７ａが形成されている。この切り欠き１７ａが形成されていることで、通信線７１、および、冷媒回路９の一部である熱源側ガス側連絡配管５１、利用側ガス側連絡配管５３、熱源側液側連絡配管５２および利用側液側連絡配管５４を、切り欠き１７ａの縁の近傍が上下方向に延びるようにして設けられている利用側管板３３と支柱１１ｄとで囲われる領域を介してより上方まで延ばすことが可能になっている。なお、利用側ガス側連絡配管５３および利用側液側連絡配管５４は、第１仕切板１７と第２仕切板１６との間の高さ位置まで上方に延びており、熱源側ガス側連絡配管５１や熱源側液側連絡配管５２および電装部品２８から延びる通信線７１はさらに上方まで延びている。利用側熱交換器３は、内部を流れる冷媒と、外部を通過する空気と、の間で熱交換を行わせる空気熱交換器である。利用側熱交換器３は、上面視略Ｌ字型の２つの熱交換部（第１利用側熱交換部３１と第２利用側熱交換部３２）によって構成されており、各熱交換部３１、３２はＬ字形状の角部分の内側同士が向かい合うように配置されている。利用側熱交換器３が有する各熱交換部３１、３２は、それぞれ、水平方向に伸びた複数の伝熱管と、各伝熱管が貫通した複数の伝熱フィンと、を有して構成されている。また、利用側熱交換器３が有する各熱交換部３１、３２は、支柱１１ｄ側の端部において、共用の利用側管板３３を介して一体化されている。この利用側管板３３は、第１仕切板１７の切り欠き１７ａの縁に沿いつつ、上下方向に延びるように設けられている。利用側熱交換器３が有する各熱交換部３１、３２は、いずれも、互いに垂直の関係にある周方向を向いた２つの熱交換面を有している。ここで、第１利用側熱交換部３１が有する２つの熱交換面は、それぞれ、互いに隣り合う側面２０ａと側面２０ｂに沿うように設けられている。また、第２利用側熱交換部３２が有する２つの熱交換面は、それぞれ、互いに隣り合う側面２０ｃと側面２０ｄに沿うように設けられている。利用側熱交換器３に供給される冷媒は、２つの熱交換部３１、３２に向けて分流され、各熱交換部３１、３２において冷媒を折り返すように流した後、合流して、利用側熱交換器３の外部に流れていく。
【００４２】
具体的には、第１利用側熱交換部３１は、ガス側部分において、利用側管板３３と利用側ガス側連絡配管５３を接続する第１利用側ガス枝管３４を有し、液側部分において、利用側管板３３と利用側液側連絡配管５４を接続する第１利用側液枝管３６を有している。また、第２利用側熱交換部３２は、ガス側部分において、利用側管板３３と利用側ガス側連絡配管５３を接続する第２利用側ガス枝管３５を有し、液側部分において、利用側管板３３と利用側液側連絡配管５４を接続する第２利用側液枝管３７を有している。これにより、利用側熱交換器３が冷媒の蒸発器として機能する場合には、利用側液側連絡配管５４を流れた液冷媒が、第１利用側液枝管３６を介して第１利用側熱交換部３１側に流れる冷媒と、第２利用側液枝管３７を介して第２利用側熱交換部３２側に流れる冷媒と、に分岐して流れ、各第１利用側熱交換部３１及び第２利用側熱交換部３２において蒸発した後、第１利用側熱交換部３１から第１利用側ガス枝管３４を通じて流れ出る冷媒と、第２利用側熱交換部３２から第２利用側ガス枝管３５を通じて流れ出る冷媒と、が利用側ガス側連絡配管５３において合流して流れていくことになる。なお、利用側熱交換器３が冷媒の凝縮器として機能する場合には、これとは逆の冷媒流れとなる。
【００４３】
そして、これらの利用側管板３３、第１利用側ガス枝管３４、第２利用側ガス枝管３５、第１利用側液枝管３６、第２利用側液枝管３７は、いずれも、第１仕切板１７の平面視における中心（重心）１７ｃよりも、角部２５ｄに近い位置に集められている。特に、利用側管板３３、第１利用側ガス枝管３４、第２利用側ガス枝管３５、第１利用側液枝管３６、第２利用側液枝管３７は、いずれも、角部２５ｄに対してケーシング１０の両側を構成する側面２０ａと側面２０ｄに関して平面視における各側面２０ａと２０ｄの中心同士を結んだ基準線１７ｘよりもさらに角部２５ｄ側に集められている。なお、例えば、利用側熱交換器３が図示しない利用側ヘッダを有している場合には、当該利用側ヘッダについても角部２５ｄに近い位置に配置することが好ましい。
【００４４】
以上の利用側熱交換器３は、第１仕切板１７上に載置されている。ここで、第１仕切板１７と第２仕切板１６との間の高さ位置の４つの側面は、いずれも、互いに隣り合う２つの支柱１１ａ−１１ｄの間の部分が、対応する下部化粧板２３のうち空気を通過させるように構成されている利用側吸込口４５を含む部分で覆われている。
また、利用側熱交換器３が冷媒の蒸発器として機能している場合には、利用側熱交換器３において結露水が生じることがあるが、当該結露水は、利用側熱交換器３の下方に配置されておりドレンパンとして機能するように構成された第１仕切板１７によって捕らえられた後、第１仕切板１７に設けられた図示しない開口を介して、下方に配置されているドレンタンク２９に送られる。ドレンタンク２９は、下部化粧板２３のうちの一部を取り外すことで、ケーシング１０の外部に取り出すことが可能となっており、適宜、排水することができる。
【００４５】
ケーシング１０の内部のうち第２仕切板１６と第３仕切板１５で上下に囲まれた空間は、図７に示すように、利用側ベルマウス４１、利用側ファン４等が配置されている。なお、第２仕切板１６には、支柱１１ｄの近傍において、上下方向に貫通した切り欠き１６ａが形成されている。第２仕切板１６に切り欠き１６ａが形成されていることで、通信線７１、および、冷媒回路９の一部である熱源側ガス側連絡配管５１、熱源側液側連絡配管５２を、切り欠き１６ａの縁が上下方向に延びるようにして設けられている区画部材１６ｃと支柱１１ｄとで囲われる領域を介してより上方まで延ばすことが可能になっている。区画部材１６ｃは、第２仕切板１６と第３仕切板１５との間において、第２仕切板１６の切り欠き１６ａの縁に沿った部分が上下方向に延びるように設けられている。これにより、第２仕切板１６と第３仕切板１５との間の空間において利用側ファン４から吹き出された空気が、第２仕切板１６の切り欠き１６ａや後述する第３仕切板１５の切り欠き１５ａに向けて流れていくことが防止されている。さらに、第２仕切板１６は、利用側ファン４が配置された空間側である上方を向いた上面と、利用側熱交換器３が配置された空間側である下方を向いた下面と、中央近傍において大きく上下方向に貫通した開口１６ｂと、を有している。利用側ベルマウス４１は、当該開口１６ｂに対して取り付けられており、利用側ベルマウス４１の下方の空気を利用側ベルマウス４１の上方に導く。利用側ファン４は、回転軸方向を上下方向とする姿勢で、利用側ベルマウス４１の上端近傍の上側に配置されている。利用側ファン４は、特に限定されないが、ターボファン等の遠心送風機であることが好ましい。利用側ファン４は、羽根車と、羽根車の上方に配置され、羽根車を回転駆動させる利用側ファンモータ４ａと、を有している。なお、この利用側ファンモータ４ａは、第３仕切板１５の中央において上方に膨出するように形成された利用側ファンモータ収容部１５ｂの内部に配置され、この第３仕切板１５に対して固定されている。これにより上下方向におけるケーシング１００の小型化が可能になる。なお、利用側ファンモータ４ａは、熱源側ファン７が有する熱源側ファンモータ７ａとは別のモータであり、互いに独立して駆動制御が可能である。ここで、第２仕切板１６と第３仕切板１５と間の高さ位置の４つの側面のうちの下方部分（風向調節部材２４の下方部分）は、いずれも、互いに隣り合う２つの支柱１１ａ−１１ｄの間の部分が、対応する中間化粧板２２によって覆われている。なお、中間化粧板２２は空気を通過させない構成となっている。そして、第２仕切板１６と第３仕切板１５との間の高さ位置の４つの側面のうちの中間化粧板２２よりも上方の部分は、いずれも、互いに隣り合う２つの支柱１１ａ−１１ｄで囲まれることで、利用側吹出口４６を構成している。これらの４つの利用側吹出口４６には、それぞれ風向調節部材２４が設けられており、利用側吹出口４６から吹き出される調和空気流れの向きを独立して変更することが可能になっている。なお、吹き出し方向を変更させるための風向調節部材２４の姿勢の変更は、制御によって行われてもよいし、ユーザによる手動で行われてもよい。また、本実施形態の屋外空気調和装置１００では、利用側吹出口４６から吹き出される調和空気が全て利用側熱交換器３を通過した空気となるように構成されている。
【００４６】
ケーシング１０の内部のうち第３仕切板１５と第４仕切板１４で上下に囲まれた空間は、図８に示すように、熱源側熱交換器６が配置されている。なお、第３仕切板１５には、支柱１１ｄの近傍において、上下方向に貫通した切り欠き１５ａが形成されている。この切り欠き１５ａが形成されていることで、通信線７１、および、冷媒回路９の一部である熱源側ガス側連絡配管５１、熱源側液側連絡配管５２を、切り欠き１５ａの縁の近傍が上下方向に延びるようにして設けられている熱源側管板６３と支柱１１ｄとで囲われる領域を介してより上方まで延ばすことが可能になっている。なお、通信線７１、熱源側ガス側連絡配管５１、熱源側液側連絡配管５２は、第３仕切板１５と第４仕切板１４との間の高さ位置まで上方に延びている。熱源側熱交換器６は、内部を流れる冷媒と、外部を通過する空気と、の間で熱交換を行わせる空気熱交換器である。熱源側熱交換器６は、上面視略Ｌ字型の２つの熱交換部（第１熱源側熱交換部６１と第２熱源側熱交換部６２）によって構成されており、各熱交換部６１、６２はＬ字形状の角部分の内側同士が向かい合うように配置されている。熱源側熱交換器６が有する各熱交換部６１、６２は、水平方向に伸びた複数の伝熱管と、各伝熱管が貫通した複数の伝熱フィンと、を有して構成されている。また、熱源側熱交換器６が有する各熱交換部６１、６２は、角部２５ｄ側の端部において、共用の熱源側管板６３を介して一体化されている。熱源側熱交換器６が有する各熱交換部６１、６２は、いずれも、互いに垂直の関係にある周方向を向いた２つの熱交換面を有して構成されている。ここで、第１熱源側熱交換部６１が有する２つの熱交換面は、それぞれ、互いに隣り合う側面２０ａと側面２０ｂに沿うように設けられている。また、第２熱源側熱交換部６２が有する２つの熱交換面は、それぞれ、互いに隣り合う側面２０ｃと側面２０ｄに沿うように設けられている。熱源側熱交換器６に供給される冷媒は、２つの熱交換部６１、６２に向けて分流され、各熱交換部６１、６２において冷媒を折り返すように流した後、合流して、熱源側熱交換器６の外部に流れていく。
【００４７】
具体的には、第１熱源側熱交換部６１は、ガス側部分において、熱源側管板６３と熱源側ガス側連絡配管５１を接続する第１熱源側ガス枝管６４を有し、液側部分において、熱源側管板６３と熱源側液側連絡配管５２を接続する第１熱源側液枝管６６を有している。また、第２熱源側熱交換部６２は、ガス側部分において、熱源側管板６３と熱源側ガス側連絡配管５１を接続する第２熱源側ガス枝管６５を有し、液側部分において、熱源側管板６３と熱源側液側連絡配管５２を接続する第２熱源側液枝管６７を有している。これにより、熱源側熱交換器６が冷媒の凝縮器として機能する場合には、熱源側ガス側連絡配管５１を流れた液冷媒が、第１熱源側ガス枝管６４を介して第１熱源側熱交換部６１側に流れる冷媒と、第２熱源側ガス枝管６５を介して第２熱源側熱交換部６２側に流れる冷媒と、に分岐され、各第１熱源側熱交換部６１及び第２熱源側熱交換部６２において凝縮した後、第１熱源側熱交換部６１から第１熱源側液枝管６６を通じて流れ出る冷媒と、第２熱源側熱交換部６２から第２熱源側液枝管６７を通じて流れ出る冷媒と、が熱源側液側連絡配管５２において合流して流れていくことになる。なお、熱源側熱交換器６が冷媒の蒸発器として機能する場合には、これとは逆の冷媒流れとなる。
【００４８】
そして、これらの熱源側管板６３、第１熱源側ガス枝管６４、第２熱源側ガス枝管６５、第１熱源側液枝管６６、第２熱源側液枝管６７は、いずれも、第３仕切板１５の平面視における中心（重心）１５ｃよりも、角部２５ｄに近い位置に集められている。特に、熱源側管板６３、第１熱源側ガス枝管６４、第２熱源側ガス枝管６５、第１熱源側液枝管６６、第２熱源側液枝管６７は、いずれも、角部２５ｄに対してケーシング１０の両側を構成する側面２０ａと側面２０ｄの平面視における中心同士を結んだ基準線１５ｘよりもさらに角部２５ｄ側に集められている。なお、例えば、熱源側熱交換器６が図示しない熱源側ヘッダを有している場合には、当該熱源側ヘッダについても角部２５ｄに近い位置に配置することが好ましい。
【００４９】
以上の熱源側熱交換器６は、第３仕切板１５上に載置されることで固定されている。ここで、第３仕切板１５と第４仕切板１４との間の高さ位置の４つの側面は、いずれも、互いに隣り合う２つの支柱１１ａ−１１ｄの間の部分が、対応する上部化粧板２１のうち空気を通過させるように構成されている熱源側吸込口４７を含む部分で覆われている。また、第３仕切板１５は、熱源側熱交換器６が冷媒の蒸発器として機能している場合に生じる結露水を受ける、ドレンパンとしての機能を有するように構成されている。ドレンパンとしての第３仕切板１５で捕らえられた結露水は、第３仕切板１５に設けられた図示しない開口や支柱１１ａ〜１１ｃに沿った排水路を介して、下方に配置されているドレンタンク２９に送られる。
【００５０】
ケーシング１０の内部のうち第４仕切板１４と天板１３で上下に囲まれた空間は、図９に示すように、熱源側ベルマウス４２、熱源側ファン７等が配置されている。なお、第４仕切板１４には、中央近傍において大きく上下方向に貫通した開口１４ａが形成されている。熱源側ファン７は、回転軸方向を上下方向とする姿勢で配置されている。熱源側ファン７は、特に限定されないが、プロペラファン等の軸流送風機であることが好ましい。熱源側ファン７は、羽根車と、羽根車の下方に配置され、羽根車を回転駆動させる熱源側ファンモータ７ａと、を有している。なお、この熱源側ファンモータ７ａは、第４仕切板１４の中央下方に位置しており、第４仕切板１４に固定されたファンモータ台（図示せず）に対して固定されている。熱源側ベルマウス４２は、熱源側ファン７の上方において、上側に向かうほど径が大きくなるように設けられており、熱源側ベルマウス４２の下方の空気を熱源側ベルマウス４２の上方に導く。ここで、第４仕切板１４と天板１３との間の高さ位置の４つの側面は、いずれも、互いに隣り合う２つの支柱１１ａ−１１ｄの間の部分が、対応する上部化粧板２１のうち空気を通過させない部分によって覆われている。
【００５１】
天板１３には、平面視の中央近傍において上下方向に貫通した熱源側吹出口４８が形成されている。熱源側吹出口４８は、熱源側ベルマウス４２の上端部分に対応した形状を有しており、熱源側ベルマウス４２の上端部分の直上に位置している。熱源側吹出口４８の上方は、メッシュ状のファンガード４３によって覆われている。
【００５２】
（３）屋外空気調和装置１００における空気を流す構成と、空気の流れの説明
（３−１）利用側熱交換器３を通過する空気の流れ
主な空気の流れが矢印にて示された図３を参照しつつ、利用側熱交換器３を通過する空気の流れを説明する。
【００５３】
屋外空気調和装置１００の運転時に、利用側ファン４が駆動すると、屋外空気調和装置１００の下方の周囲の空気が、４つの側面２０ａ〜２０ｄに対応するように設けられた各利用側吸込口４５を介して、利用側熱交換器３の各熱交換部に取り込まれる。利用側熱交換器３の各熱交換部に取り込まれた空気は、利用側熱交換器３の内部を流れる冷媒との間で熱交換を行い、調和される。そして、調和された空気は、第１仕切板１７と第２仕切板１６との間の空間における中央上方に集まり、利用側ベルマウス４１の内側を上方に向けて導かれ、利用側ファン４を通過する。このようにして、利用側ファン４を通過した調和空気は、４つの側面２０ａ〜２０ｄに対応するように設けられている各利用側吹出口４６を介して、周方向外側に送り出される。なお、調和空気は、利用側吹出口４６を通過する際に、風向調節部材２４によってその風向が調節される。特に限定されないが、利用側吹出口４６を通過する風向は、水平方向±３０°であってよく、当該風向の水平方向に対する角度は風向調節部材２４によってさらに広い範囲で調節される。また、利用側吹出口４６のうち、風向調節部材２４によって閉じられている箇所については、調和空気は通過しない。
【００５４】
（３−２）熱源側熱交換器６を通過する空気の流れ
主な空気の流れが矢印にて示された図３を参照しつつ、熱源側熱交換器６を通過する空気の流れを説明する。
【００５５】
屋外空気調和装置１００の運転時に、熱源側ファン７が駆動すると、屋外空気調和装置１００の上方の周囲の空気が、４つの側面２０ａ〜２０ｄに対応するように設けられた各熱源側吸込口４７を介して、熱源側熱交換器６の各熱交換部に取り込まれる。熱源側熱交換器６の各熱交換部に取り込まれた空気は、熱源側熱交換器６の内部を流れる冷媒との間で熱交換が行われる。そして、熱交換後の空気は、第３仕切板１５と第４仕切板１４との間の空間における中央上方に集まり、熱源側ベルマウス４２の内側を上方に向けて導かれ、熱源側ファン７を通過する。このようにして、熱源側ファン７を通過した熱交換後の空気は、天板１３に形成された熱源側吹出口４８を介して、主として鉛直方向上方に向けて送り出される。
【００５６】
（４）実施形態の特徴
（４−１）
本実施形態の屋外空気調和装置１００は、冷媒回路９の構成要素を内部に収容するケーシング１０の平面視における輪郭形状を、複数の角部２５ａ〜２５ｄを有する多角形としている。このため、円筒形状のケーシングと比べて、構造強度を高めることができている。さらに、円筒形状のケーシングと比較して、転倒を抑制させやすい。
【００５７】
そして、ケーシング１０の角部２５ａ〜２５ｄの少なくともいずれか１つ（本実施形態では角部２５ｄ）の近くに、熱源側ガス側連絡配管５１と、熱源側液側連絡配管５２と、利用側ガス側連絡配管５３と、利用側液側連絡配管５４と、これらの各連絡配管に接続される第１熱源側ガス枝管６４、第２熱源側ガス枝管６５、第１熱源側液枝管６６、第２熱源側液枝管６７、第１利用側ガス枝管３４、第２利用側ガス枝管３５、第１利用側液枝管３６、第２利用側液枝管３７、および、熱源側管板６３と利用側管板３３を、まとめて配置させている。このため、これらの構成部品のいずれかをメンテナンスする際に、その近傍にまとめて配置されている他の構成部品のメンテナンスも行いやすい。さらに、これらの構成部品同士を溶接等により接続する作業も、まとめて行うことが可能になっている。
【００５８】
さらに、本実施形態の屋外空気調和装置１００では、当該同じ角部２５ｄの内側のスペースに、電装部品２８から延びる通信線７１もまとめて配置されている。したがって、電信線７１に関するメンテナンスや接続作業についても行いやすい。
【００５９】
また、熱源側ガス側連絡配管５１と、熱源側液側連絡配管５２と、利用側ガス側連絡配管５３と、利用側液側連絡配管５４と、これらの各連絡配管に接続される第１熱源側ガス枝管６４、第２熱源側ガス枝管６５、第１熱源側液枝管６６、第２熱源側液枝管６７、第１利用側ガス枝管３４、第２利用側ガス枝管３５、第１利用側液枝管３６、第２利用側液枝管３７と、熱源側管板６３および利用側管板３３と、通信線７１と、を、いずれも、基準線１５ｘ、１７ｘよりも角部２５ｄ側にまとめて配置している。このため、ケーシング１０の内部のうち、基準線１５ｘ、１７ｘに対して角部２５ｄ側とは反対側の領域を広く確保し易いため、他の構成部品の配置スペースとして用いることが可能になっている。
【００６０】
（４−２）
本実施形態の屋外空気調和装置１００では、利用側熱交換器３の第１利用側熱交換部３１が有する２つの熱交換面と第２利用側熱交換部３２が有する２つの熱交換面の合計４つの熱交換面が、いずれも、平面視の輪郭形状が多角形であるケーシング１０の側面２０ａ〜２０ｄに平行となるように設けられている。このため、同じ大きさのケーシング１０に収容する場合において、熱交換面の平面視が円形となるような熱交換器と比べて、本実施形態の利用側熱交換器３では、熱交換に有効な面積を広く確保することが可能になっている。
【００６１】
また、熱源側熱交換器６についても同様に、第１熱源側熱交換部６１が有する２つの熱交換面と第２熱源側熱交換部６２が有する２つの熱交換面の合計４つの熱交換面が、いずれも、平面視の輪郭形状が多角形であるケーシング１０の側面２０ａ〜２０ｄに平行となるように設けられているため、熱交換に有効な面積を広く確保することが可能になっている。
【００６２】
（４−３）
本実施形態の屋外空気調和装置１００では、利用側熱交換器３に流入する冷媒を、第１利用側熱交換部３１と第２利用側熱交換部３２に分けて流すことができる。このため、冷媒流路が分岐されていない場合と比べて、冷媒流路の長さを短く抑えることができるため、冷媒の圧力損失を小さく抑えることが可能になる。
【００６３】
そして、このように利用側熱交換器３が第１利用側熱交換部３１と第２利用側熱交換部３２に分割されてはいるものの、角部２５ｄの内側のスペースを、第１利用側熱交換部３１と利用側ガス側連絡配管５３や利用側液側連絡配管５４との接続部分と、第２利用側熱交換部３２と利用側ガス側連絡配管５３や利用側液側連絡配管５４との接続部分の両方の配置スペースとして有効活用することができている。
【００６４】
また、熱源側熱交換器６についても同様に、熱源側熱交換器６に流入する冷媒を、第１熱源側熱交換部６１と第２熱源側熱交換部６２に分けて流すことができる。このため、冷媒流路が分岐されていない場合と比べて、冷媒流路の長さを短く抑えることができるため、冷媒の圧力損失を小さく抑えることが可能になる。
【００６５】
そして、このように熱源側熱交換器６が第１熱源側熱交換部６１と第２熱源側熱交換部６２に分割されてはいるものの、角部２５ｄの内側のスペースを、第１熱源側熱交換部６１と熱源側ガス側連絡配管５１や熱源側液側連絡配管５２との接続部分と、第２熱源側熱交換部６２と熱源側ガス側連絡配管５１や熱源側液側連絡配管５２との接続部分の両方の配置スペースとして有効活用することができている。
【００６６】
（４−４）
本実施形態の屋外空気調和装置１００では、熱源側熱交換器６と利用側熱交換器３とは、上下方向において互いに離れるようにして、異なる空間に配置されている。さらに、熱源側熱交換器６と利用側熱交換器３とは、利用側ファン４を隔てて離れて配置されている。言い換えると、熱源側熱交換器６の伝熱フィンと利用側熱交換器３の伝熱フィンとは繋がっていない。これにより、熱源側熱交換器６と利用側熱交換器３との間の熱の影響を十分に小さく抑えることが可能になっている。
【００６７】
また、熱源側熱交換器６と利用側熱交換器３とを、利用側ファン４を隔てて離して配置することで、利用側ファン４を上下に跨ぐように設けることが必要となる連絡配管（本実施形態では、熱源側ガス側連絡配管５１と熱源側液側連絡配管５２）についても、角部２５ｄ近傍のスペースに収めることが可能となっている。
【００６８】
（４−５）
本実施形態の屋外空気調和装置１００は、一つのケーシング１０の中に、冷媒回路９を構成する各構成機器、利用側ファン４および熱源側ファン７が収容されているため、外観を簡潔なものにすることができている。このように、屋外空気調和装置１００の外観が意匠性に富んでいるため、ユーザの近くで視認されやすい位置に配置されて利用される場合であっても、ユーザが受ける屋外空気調和装置１００の印象を良好にすることができる。      
【００６９】
（４−６）
本実施形態の屋外空気調和装置１００では、熱源側熱交換器６が冷媒の凝縮器として機能している場合に、熱源側熱交換器６を通過して加温された空気が、屋外空気調和装置１００の上方に向けて排出される。このため、蒸発器として機能する利用側熱交換器３を通過した冷却空気を望むユーザに対して、熱源側熱交換器６において加温された空気が供給されてしまうことを抑制することができる。
【００７０】
しかも、熱源側熱交換器６において加温された空気は利用側熱交換器３において冷却された空気よりも比重が小さいため、熱源側熱交換器６において加温された空気がユーザに到達することをより確実に抑制できている。
【００７１】
また、熱源側熱交換器６が冷媒の蒸発器として機能している場合については、熱源側熱交換器６を通過して冷却された空気が、熱源側吹出口４８を介して屋外空気調和装置１００の上方に向けて排出される。このため、凝縮器として機能する利用側熱交換器３を通過した加温空気を望むユーザに対して、熱源側熱交換器６において冷却された空気が供給されてしまうことを抑制することができる。
【００７２】
（４−７）
本実施形態の屋外空気調和装置１００は、底板１２よりも上方に電装部品２８が配置されているため、地面からの埃等が電装部品２８に到達しにくい。
【００７３】
また、当該電装部品２８は、利用側ファン４よりも下に配置されており、熱源側熱交換器６からは下方に遠く離れた位置であって、熱源側熱交換器６よりも利用側熱交換器３に近い位置に配置されている。このため、熱源側熱交換器６を冷媒の凝縮器として機能させ利用側熱交換器３を冷媒の蒸発器として機能させる時期のような、周囲温度が高い状況下であっても、電装部品２８の温度上昇を抑制させ、電装部品２８の信頼性を確保しやすい。
【００７４】
そして、このように電装部品２８をケーシング１０内の比較的下方の領域に配置することにより、ケーシング１０内でより上方の領域に配置された制御対象部品（利用側ファンモータ４ａ、熱源側ファンモータ７ａ、風向調節部材２４等）と通信線７１で接続することが必要になる場合であっても、角部２５ｄの内側のスペースを、通信線７１の配置スペースとして有効活用することが可能になっている。
【００７５】
（４−８）
本実施形態の屋外空気調和装置１００は、複数の周方向に向けて開口した利用側吹出口４６が設けられている。このため、利用側熱交換器３における熱交換によって得られた調和空気を、屋外空気調和装置１００の周囲の複数の方向に向けて供給することが可能になっている。具体的には、調和空気を、支柱１１ａ〜１１ｄ部分を除く、周囲１８０°以上、より具体的には２７０°以上、更に具体的には３６０°のより広いエリアに向けて供給することが可能になっている。
【００７６】
さらに、各利用側吹出口４６には、通過する調和空気の向きを独立して調節する風向調節部材２４が設けられているため、屋外空気調和装置１００の周囲の方向毎に、調和空気を送る位置を調節することが可能になっている。
【００７７】
また、利用側吹出口４６のうちのいずれかを風向調節部材２４によって塞ぐことができるため、屋外空気調和装置１００の周囲における調和空気の供給が不要である方向に対しては、その供給を避けることができる。
【００７８】
また、運転停止時等の使用していないときには、風向調整部材２４によって利用側吹出口４６を塞ぐことにより、機内にほこりや虫などが入ることを抑制できる。
【００７９】
（４−９）
本実施形態の屋外空気調和装置１００は、利用側熱交換器３と熱源側熱交換器６のいずれも互いに異なる方向を向いた複数の熱交換面を有しており、ケーシング１０にも対応するように複数の方向に向けて開口された利用側吸込口４５と熱源側吸込口４７が設けられているため、利用側熱交換器３と熱源側熱交換器６のいずれについても、周方向における様々な方向から取り込まれる空気を用いて熱交換を行わせることが可能になっている。
【００８０】
（５）変形例
（５−１）変形例Ａ
上記実施形態の屋外空気調和装置１００では、膨張手段５が底板１２と第１仕切板１７で上下に囲まれた空間に配置され、膨張手段５から延びる利用側液側連絡配管５４が第１仕切板１７の切り欠き１７ａを上下に通過するように設けられ、膨張手段５から延びる熱源側液側連絡配管５２が第１仕切板１７と第２仕切板１６と第３仕切板１５の各切り欠き１７ａ、１６ａ、１５ａを上下に通過するように設けられている場合を例に挙げて説明した。
【００８１】
これに対して、例えば、膨張手段５は、底板１２と第１仕切板１７で上下に囲まれた空間ではなく、例えば、利用側熱交換器３と熱源側熱交換器６との間の高さ位置に配置されてもよい。この場合には、利用側熱交換器３から延びる利用側液側連絡配管５４や熱源側熱交換器６から延びる熱源側液側連絡配管５２を第１仕切板１７の下の空間まで引きまわす必要がない。このような利用側熱交換器３と熱源側熱交換器６との間の高さ位置に配置される膨張手段５としては、長手方向が略上下方向となる姿勢で配置され、角部２５ｄの内側のスペースに収容されるキャピラリーチューブとすることができる。
【００８２】
（５−２）変形例Ｂ
上記実施形態の屋外空気調和装置１００では、４つの支柱１１ａ〜１１ｄに対して天板１３、底板１２、第４仕切板１４、第３仕切板１５、第２仕切板１６および第１仕切板１７が固定されている構造を例に挙げて説明した。
【００８３】
これに対して、支柱１１ａ〜１１ｄの全てが天板１３、底板１２、第４仕切板１４、第３仕切板１５、第２仕切板１６および第１仕切板１７に固定されている必要はなく、例えば、上記実施形態における角部２５ｄに対応する位置に設けられた支柱１１ｄを、他の支柱１１ａ〜１１ｃと比べて、固定箇所を少なくする等して着脱しやすい構造としてもよい。これにより、角部２５ｄにまとめて配置されている部品等のメンテナンス性を高めることが可能になる。
【００８４】
（５−３）変形例Ｃ
上記実施形態の屋外空気調和装置１００では、熱源側熱交換器６が利用側熱交換器３よりも上に配置される場合を例に挙げて説明した。
【００８５】
これに対して、熱源側熱交換器６と利用側熱交換器３との配置関係はこれに限られるものではなく、熱源側熱交換器６が利用側熱交換器３よりも下に配置されていてもかまわない。しかし、熱源側熱交換器６が冷媒の凝縮器として機能し、利用側熱交換器３が冷媒の蒸発器として機能する場合に、熱源側熱交換器６において生じた廃熱や冷媒の蒸発器として機能する熱源側熱交換器６における不要な冷熱をより上方に排出させやすい。また、利用側熱交換器３で温度調和された空気を、熱源側熱交換器６を通過した空気が有する熱の影響を抑制させた状態で、ユーザに対して供給させやすいという観点から、上記実施形態のように、熱源側熱交換器６が利用側熱交換器３よりも上に配置されることが好ましい。
【００８６】
（５−４）変形例Ｄ
上記実施形態の屋外空気調和装置１００では、ケーシング１０が有する複数の側面の全てに利用側吹出口４６が対応するように形成されている場合を例に挙げて説明した。
【００８７】
これに対して、屋外空気調和装置１００としては、例えば、吹出口が形成されていない側面を１つ又は２つ以上有していてもよい。この場合には、吹き出し空気が供給されない方向を確保することが可能になり、調和空気が不要な方向に対して調和空気が供給されることを抑制し、調和空気が求められる方向に対して調和空気をより十分に供給することが可能になる。
【００８８】
（５−５）変形例Ｅ
上記実施形態の屋外空気調和装置１００では、４つ熱交換面が設けられることで、全周方向に向いて存在する利用側熱交換器３および熱源側熱交換器６を例に挙げて説明した。
【００８９】
これに対して、利用側熱交換器３や熱源側熱交換器６が有する熱交換面としては、３つの周方向を向いたものであってもよいし、２つの周方向を向いたものであってもよいし、１つの周方向のみを向いたものであってもよい。
【００９０】
なお、利用側熱交換器３や熱源側熱交換器６が有する熱交換面の数と、熱源側吸込口４７の数や、利用側吸込口４５の数や、利用側吹出口４６の数は、必ずしも同じである必要はなく、例えば、利用側熱交換器３や熱源側熱交換器６が有する熱交換面の数が３つである場合に熱源側吸込口４７、利用側吸込口４５、利用側吹出口４６の数が４つであってもよい。
【００９１】
（５−６）変形例Ｆ
上記実施形態の屋外空気調和装置１００では、電装部品２８が利用側ファン４や利用側熱交換器３よりも下方に配置されている場合を例に挙げて説明した。
【００９２】
これに対して、屋外空気調和装置１００が備える電装部品の全てが利用側ファン４や利用側熱交換器３よりも下方に配置される必要はなく、電装部品の一部が他の位置（例えば、利用側ベルマウス４１とケーシング１０との間の空間等）に配置されていてもよい。
【００９３】
（５−７）変形例Ｇ
上記実施形態の屋外空気調和装置１００では、熱源側ファン７が有する熱源側ファンモータ７ａと、利用側ファン４が有する利用側ファンモータ４ａと、が別個独立に設けられている場合を例に挙げて説明した。
【００９４】
これに対して、熱源側ファン７と利用側ファン４とは、両者の回転軸上に配置された共通のファンモータを有していてもよい。
【００９５】
（５−８）変形例Ｈ
上記実施形態の屋外空気調和装置１００では、利用側ファン４に対して空気流れの上流側に利用側熱交換器３が設けられ、熱源側ファン７に対して空気流れの上流側に熱源側熱交換器６が設けられる場合を例に挙げて説明した。
【００９６】
これに対して、利用側熱交換器３は、利用側ファン４に対して空気流れの下流側に配置されてもよく、ケーシング１０内において、利用側熱交換器３は利用側ファン４の上に配置されてもよい。ただし、利用側熱交換器３で得られた調和空気をより高い位置から吹き出す観点からは、上記実施形態の配置が好ましい。
【００９７】
また、熱源側熱交換器６は、熱源側ファン７に対して空気流れの下流側に配置されてもよく、ケーシング１０内において、熱源側熱交換器６は熱源側ファン７の上に配置されてもよい。ただし、冷媒の凝縮器として機能する熱源側熱交換器６における廃熱を、より上方に送りやすくする観点からは、上記実施形態の配置が好ましい。
【００９８】
（５−９）変形例Ｉ
上記実施形態の屋外空気調和装置１００では、熱源側熱交換器６が２つの平面視Ｌ字状の熱源側熱交換部を有し、利用側熱交換器３も２つの平面視Ｌ字状の利用側熱交換部を有する場合を例に挙げて説明した。
【００９９】
これに対して、熱源側熱交換器６が有する熱源側熱交換部の平面視の形状は、２つの辺が折り曲げ部を介して繋がったＬ字状のものに限られず、平面視において互いに交わる方向に延びた３つ以上の部分が折り曲げ部を介して繋がった形状であってもよい。ここで、当該３つ以上の部分は、いずれも、平面視において、対向するケーシング１０の側面２０ａ〜２０ｄに沿うように延びていることが好ましい。
【０１００】
同様に、利用側熱交換器３が有する利用交換部の平面視の形状についても、平面視において互いに交わる方向に延びた３つ以上の部分が折り曲げ部を介して繋がった形状であってもよい。ここでも、当該３つ以上の部分は、いずれも、平面視において、対向するケーシング１０の側面２０ａ〜２０ｄに沿うように延びていることが好ましい。
【０１０１】
（５−１０）変形例Ｊ
上記実施形態の屋外空気調和装置１００では、熱交換器において生じた結露水を蓄えるドレンタンク２９が設けられている場合を例に挙げて説明した。
【０１０２】
これに対して、屋外空気調和装置１００としては、必ずしもドレンタンクを備えている必要は無い。
【０１０３】
例えば、利用側熱交換器３の下方に配置されておりドレンパンとして機能する第１仕切板１７において捕えた結露水を、図示しない排水ホース等を介してケーシング１０の外部に排出するようにしてもよい。例えば、排水ホースの一端が、第１仕切板１７の角部近傍において上下に貫通するように形成された図示しない開口の下側に接続され、排水ホースの他端が、底板１２において上下に貫通するように形成された図示しない開口に接続された構造とすることで、屋外空気調和装置１００の下に排水するようにしてもよい。
【０１０４】
また、熱源側熱交換器６の下方に配置されておりドレンパンとして機能する第３仕切板１５において捕えた結露水を、排水ホース等を介してケーシング１０の外部に排出するようにしてもよい。
【０１０５】
ここで、利用側熱交換器３で生じた結露水の排水経路と、熱源側熱交換器６で生じた結露水の排水経路とは、別々に設けられていてもよいし、途中から合流するように設けられていてもよい。
【０１０６】
なお、熱源側ガス側連絡配管５１と、熱源側液側連絡配管５２と、利用側ガス側連絡配管５３と、利用側液側連絡配管５４と、これらの各連絡配管に接続される第１熱源側ガス枝管６４、第２熱源側ガス枝管６５、第１熱源側液枝管６６、第２熱源側液枝管６７、第１利用側ガス枝管３４、第２利用側ガス枝管３５、第１利用側液枝管３６、第２利用側液枝管３７と、熱源側管板６３および利用側管板３３と、通信線７１と、がいずれも角部２５ｄのスペースにまとめて配置されることで、角部２５ｄ以外の角部２５ａ〜２５ｃのスペースが広く確保される。このため、角部２５ａ〜２５ｃのスペースを、他の構成部品の配置スペースとして活用することが可能であり、上述のように利用側熱交換器３で生じた結露水を排水させるための排水ホースおよび／または熱源側熱交換器６で生じた結露水を排水させるための排水ホースの配置スペースとして活用することも可能である。
【０１０７】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１０８】
１      ：圧縮機
２      ：四路切換弁
３      ：利用側熱交換器
４      ：利用側ファン（第２ファン）
５      ：膨張手段
６      ：熱源側熱交換器
７      ：熱源側ファン（第１ファン）
８      ：アキュムレータ
９      ：冷媒回路
１０    ：ケーシング
１１ａ、１１ｂ、１１ｃ、１１ｄ  ：支柱
１２    ：底板
１３    ：天板
１４    ：第４仕切板
１５    ：第３仕切板
１６    ：第２仕切板
１７    ：第１仕切板
１８    ：キャスタ
１９ａ、１９ｂ    ：固定板
２０ａ、２０ｂ、２０ｃ、２０ｄ  ：側面
２１    ：上部化粧板
２２    ：中間化粧板
２３    ：下部化粧板
２４    ：風向調節部材
２５ａ、２５ｂ、２５ｃ、２５ｄ  ：角部（第１角部）
２８    ：電装部品
２９    ：ドレンタンク
３１    ：第１利用側熱交換部（利用側熱交換部）
３２    ：第２利用側熱交換部（利用側熱交換部）
３３    ：利用側管板（利用側配管接続部）
３４    ：第１利用側ガス枝管（利用側配管接続部）
３５    ：第２利用側ガス枝管（利用側配管接続部）
３６    ：第１利用側液枝管（利用側配管接続部）
３７    ：第２利用側液枝管（利用側配管接続部）
４１    ：利用側ベルマウス
４２    ：熱源側ベルマウス
４５    ：利用側吸込口
４６    ：利用側吹出口
４７    ：熱源側吸込口
４８    ：熱源側吹出口
５１    ：熱源側ガス側連絡配管（熱源側連絡配管）
５２    ：熱源側液側連絡配管
５３    ：利用側ガス側連絡配管（利用側連絡配管）
５４    ：利用側液側連絡配管
６１    ：第１熱源側熱交換部（熱源側熱交換部）
６２    ：第２熱源側熱交換部（熱源側熱交換部）
６３    ：熱源側管板（熱源側配管接続部）
６４    ：第１熱源側ガス枝管（熱源側配管接続部）
６５    ：第２熱源側ガス枝管（熱源側配管接続部）
６６    ：第１熱源側液枝管（熱源側配管接続部）
６７    ：第２熱源側液枝管（熱源側配管接続部）
７１    ：通信線
１００  ：屋外空気調和装置
【先行技術文献】
【特許文献】
【０１０９】
【特許文献１】特開２００２−２２８１８６号公報
【図１】
2020003176.tif 000003
【図２】
2020003176.tif 000004
【図３】
2020003176.tif 000005
【図４】
2020003176.tif 000006
【図５】
2020003176.tif 000007
【図６】
2020003176.tif 000008
【図７】
2020003176.tif 000009
【図８】
2020003176.tif 000010
【図９】
2020003176.tif 000011